(57)【要約】【課題】ガラスが取り付けられた防火戸に関し、耐熱板ガラスを用いることなく、施工の円滑化を図れ、優れた防火機能を発揮できるとともに所定の認定コストを抑制でき、良好な視認性を確保することができる防火戸を提供する。【解決手段】戸本体１１の両面側において開口２０を覆うように複数のガラス１２が取り付けられる。金属製の遮蔽板１３が、戸本体１１の内部に収納され、上下方向に沿って移動することで、開口２０から外れた位置に退避した退避位置から開口２０を遮蔽するように複数のガラス１２の間に配置される遮蔽位置に移動する。遮蔽板駆動手段１５は、作動手段１４が作動したときに、錘部２５の落下に伴って遮蔽板１３を退避位置から遮蔽位置へと移動させる。開口２０及びガラス１２の上下の長さ寸法は、戸本体１１の上下の長さ寸法の半分以上となるように形成される。【選択図】        図１
2010281173.tif 000002
【特許請求の範囲】
【請求項１】
火炎を遮蔽するための防火戸であって、
開口が形成された戸本体と、
前記戸本体の両面側において前記開口を覆うように取り付けられたガラスと、
金属の板状部材として形成されるとともに、前記戸本体の内部に収納されて、水平方向に沿って移動することで、前記開口から外れた位置に退避した退避位置から前記開口を遮蔽するように前記ガラスに対向するように配置される遮蔽位置に移動する遮蔽板と、
火災の発生に応じて作動する作動手段と、
前記作動手段が作動したときに、前記遮蔽板を前記退避位置から前記遮蔽位置へと移動させる遮蔽板駆動手段と、
を備え、
前記開口及び当該開口を覆う前記ガラスは、その上下方向における長さ寸法が前記戸本体の上下方向における長さ寸法の半分以上の長さ寸法となるように形成されていることを特徴とする、防火戸。
【請求項２】
請求項１に記載の防火戸であって、
前記遮蔽版駆動手段は、重力によって落下する錘部及び当該錘部を前記遮蔽板に連結する連結部を有し、前記作動手段が作動したときに、前記錘部の落下に伴って前記遮蔽板を前記退避位置から前記遮蔽位置へと移動させるものであることを特徴とする、防火戸。
【請求項３】
請求項２に記載の防火戸であって、
前記戸本体に前記ガラスが取り付けられることで構成された戸構造体の少なくとも片面側における一部は、当該戸構造体の内部を外部に対して開放可能なように開閉自在に形成された開閉部として設けられていることを特徴とする、防火戸。
【請求項４】
請求項３に記載の防火戸であって、
前記開閉部は、前記ガラスを含んでいることを特徴とする、防火戸。
【請求項５】
請求項４に記載の防火戸であって、
前記遮蔽板の上端部に対して回転自在に取り付けられた上端側ローラと、
前記遮蔽板の下端部に対して回転自在に取り付けられた下端側ローラと、
前記戸本体において水平方向に延びるように配置されるとともに、前記上端側ローラが下方から当接して水平方向に転動自在に係合する上側ガイドレールと、
前記戸本体において前記上側ガイドレールの下方で水平方向に延びるように配置されるとともに、前記下端側ローラが上方から当接して水平方向に転動自在に係合する下側ガイドレールと、
を更に備えていることを特徴とする、防火戸。
【請求項６】
請求項４に記載の防火戸であって、
前記遮蔽板の上端部に対して回転自在に取り付けられた懸架用ローラと、
前記戸本体において水平方向に延びるように配置されるとともに、前記遮蔽板が懸架されるように前記懸架用ローラが上方から当接して水平方向に転動自在に係合する懸架用ガイドレールと、
前記戸本体において前記懸架用ガイドレールの下方で水平方向に延びるように配置され、上下方向及び前記遮蔽板の移動方向である水平方向のいずれに対しても垂直な方向である前後方向における前記遮蔽板の下端部の変位量を規制するとともに当該遮蔽板の下端部の水平方向の移動をガイドするガイド部と、
を更に備えていることを特徴とする、防火戸。
【請求項７】
請求項４に記載の防火戸であって、
前記遮蔽板の少なくとも片面側の中央部分に対して回転自在に取り付けられるとともに上下方向に並んで配置された一対の中央ローラと、
前記戸本体において水平方向に延びるように配置されるとともに、前記一対の中央ローラが上下方向の両側から当接して水平方向に転動自在に係合する中央ガイドレールと、
を更に備えていることを特徴とする、防火戸。
【請求項８】
請求項４乃至請求項７のいずれか１項に記載の防火戸であって、
前記戸本体には、その内部において上下方向に沿って配置され、両面のパネル体を支持する柱部材が設けられ、
前記柱部材として、前記錘部が落下移動可能な空間が内側に形成された錘部内蔵柱部材が備えられていることを特徴とする、防火戸。
【請求項９】
請求項８に記載の防火戸であって、
前記錘部内蔵柱部材は、内側の壁面が前記錘部の落下移動方向をガイドするように形成されていることを特徴とする、防火戸。
【請求項１０】
請求項４乃至請求項９のいずれか１項に記載の防火戸であって、
前記作動手段は、前記遮蔽板側と前記戸本体側とを連結するとともに、所定の温度を超えることで溶断されて前記遮蔽板側と前記戸本体側との連結を解除する温度ヒューズ部材として設けられていることを特徴とする、防火戸。
【請求項１１】
請求項４乃至請求項１０のいずれか１項に記載の防火戸であって、
前記遮蔽板には、当該遮蔽板が前記遮蔽位置に移動した状態で前記戸本体の内部において前記開口の周囲に沿って配置されるとともに、前記戸本体の内壁に向かって接近する方向に延びる部分を有して隙間を介して前記戸本体の内壁に近接する内壁近接部が設けられ、
前記遮蔽板が前記遮蔽位置に移動することで、前記戸本体の内部において前記開口の両面側を連通する空間経路が、前記戸本体の内壁と前記内壁近接部との間を経由するとともに前記開口の両面側を結ぶ直線方向に対して迂回する迂回経路として形成されることを特徴とする、防火戸。
【請求項１２】
請求項１１に記載の防火戸であって、
前記内壁近接部は、屈曲形成された板状の部分として設けられていることを特徴とする、防火戸。
【請求項１３】
請求項４乃至請求項１２のいずれか１項に記載の防火戸であって、
前記戸本体の内壁には、前記開口の周囲に沿って設けられ、前記遮蔽板が前記遮蔽位置に移動した状態で前記遮蔽板に向かって接近する方向に延びる部分を有して隙間を介して前記遮蔽板に近接する遮蔽板近接部が設けられ、
前記遮蔽板が前記遮蔽位置に移動することで、前記戸本体の内部において前記開口の両面側を連通する空間経路が、前記遮蔽板と前記遮蔽板近接部との間を経由するとともに前記開口の両面側を結ぶ直線方向に対して迂回する迂回経路として形成されることを特徴とする、防火戸。
【請求項１４】
請求項４乃至請求項１０のいずれか１項に記載の防火戸であって、
前記遮蔽板には、当該遮蔽板が前記遮蔽位置に移動した状態で前記戸本体の内部において前記開口の周囲に沿って配置されるとともに、前記戸本体の内壁に向かって接近する方向に延びる部分を有して隙間を介して前記戸本体の内壁に近接する内壁近接部が設けられ、
前記戸本体の内壁には、前記開口の周囲に沿って設けられ、前記遮蔽板が前記遮蔽位置に移動した状態で前記遮蔽板に向かって接近する方向に延びる部分を有して隙間を介して前記遮蔽板に近接する遮蔽板近接部が設けられ、
前記内壁近接部における前記戸本体の内壁に最も接近した部分が、前記遮蔽板近接部における前記遮蔽板に最も近接した部分よりも、前記戸本体の内壁に近い側に位置し、
前記遮蔽板が前記遮蔽位置に移動することで、前記戸本体の内部において前記開口の両面側を連通する空間経路が、前記遮蔽板近接部と前記内壁近接部との間を経由するとともに前記開口の両面側を結ぶ直線方向に対して迂回する迂回経路として形成されることを特徴とする、防火戸。
【発明の詳細な説明】
【技術分野】
【０００１】
本発明は、火炎を遮蔽するための防火戸であって、ガラスが取り付けられた防火戸に関する。
【背景技術】
【０００２】
従来、火炎を遮蔽するための防火戸に関し、見通しを良くすることや採光できるようにすること等を目的としてガラスが取り付けられた防火戸が知られている（例えば、特許文献１を参照）。特許文献１に開示された防火戸は、外周が耐火鋼材で支持された耐熱板ガラスを備えて構成されている。
【先行技術文献】
【特許文献】
【０００３】
【特許文献１】特開平５−２８７９６１号公報
【発明の概要】
【発明が解決しようとする課題】
【０００４】
特許文献１に開示された防火戸のように、耐熱板ガラスを用いることで、防火戸においても見通しや採光の目的を達成することができる。しかしながら、耐熱板ガラスを用いた防火戸では、所定の認定を受けるために１時間程度の耐火試験を行う必要がありコストがかかる。また耐熱板ガラスを用いた防火戸の場合、耐熱板ガラスの取り扱いを専門に行う専門業者によって施工することが必要となる。このため、施工に際して、業者の選定に制約が多くなり、円滑な施工が難しく、更には施工費用の増大を招いてしまうという問題がある。従って、ガラスが取り付けられて見通しと採光とが確保された防火戸の構造を耐熱板ガラスを用いることなく実現することが望まれる。更に、このような防火戸の実現にあたっては、火炎を十分に遮蔽できる優れた防火機能を発揮できることが必要となるとともに、耐火試験によらず、構造認定で対応できるような構造とすることで、所定の認定コストを低減することも望まれる。そして、戸本体に形成される開口とこの開口を覆うガラスとについては、見通しが良くてより良好な視認性が確保されるように、その寸法構成が設定されることが望まれる。
【０００５】
本発明は、上記実情に鑑みることにより、ガラスが取り付けられた防火戸に関し、耐熱板ガラスを用いることなく、施工の円滑化を図れ、優れた防火機能を発揮できるとともに所定の認定コストを抑制でき、良好な視認性を確保することができる防火戸を提供することを目的とする。
【課題を解決するための手段】
【０００６】
上記目的を達成するための第１発明に係る防火戸は、火炎を遮蔽するための防火戸に関する。そして、第１発明に係る防火戸は、開口が形成された戸本体と、前記戸本体の両面側において前記開口を覆うように取り付けられたガラスと、金属の板状部材として形成されるとともに、前記戸本体の内部に収納されて、水平方向に沿って移動することで、前記開口から外れた位置に退避した退避位置から前記開口を遮蔽するように前記ガラスに対向するように配置される遮蔽位置に移動する遮蔽板と、火災の発生に応じて作動する作動手段と、前記作動手段が作動したときに、前記遮蔽板を前記退避位置から前記遮蔽位置へと移動させる遮蔽板駆動手段と、を備え、前記開口及び当該開口を覆う前記ガラスは、その上下方向における長さ寸法が前記戸本体の上下方向における長さ寸法の半分以上の長さ寸法となるように形成されていることを特徴とする。
【０００７】
この発明によると、戸本体に形成された両面側の開口を覆うようにガラスが取り付けられているため、見通しと採光とを確保することができる。また、戸本体内には金属製の遮蔽板が水平方向に移動可能に収納されている。そして、火災の発生に応じて作動する作動手段が作動したとき、遮蔽板駆動手段が作動して遮蔽板が、開口から外れた退避位置から開口を遮蔽する遮蔽位置へと移動する。このため、火災発生時には、開口が金属製の遮蔽板で遮蔽され、火災の進展によってガラスが破損しても、火炎を十分に遮蔽できる優れた防火機能を発揮することができる。そして、作動手段の作動に基づいて開口を遮蔽できるため、耐火ガラスを用いずに防火機能を実現でき、建築基準法の施行令が定める構造認定で済み、耐火試験が不要となる結果、所定の認定コストを抑制することができる。また、本発明によると、開口に取り付けるガラスは耐熱板ガラスでなくてよいため、見通しと採光とが確保された防火戸を耐熱板ガラスを用いることなく実現することができる。そして、耐熱板ガラスを用いなくてよいため、施工に際して業者の選定に制約が多くなることがなく、円滑な施工を実現でき、施工費用の増大を抑制することができる。また、耐熱板ガラスでない一般のガラスを用いることができるため、耐熱板ガラスを用いる場合に比して大幅なコストダウンを図ることもできる。更に、本発明によると、戸本体の開口及びこの開口を覆うガラスが、その上下方向における長さ寸法が戸本体の上下方向における長さ寸法の半分以上の長さ寸法となるように形成される。このため、ガラスが取り付けられた開口の面積を十分に広くして見通しが良くなるように設定することができ、耐熱板ガラスを用いた防火戸の場合と同等の良好な視認性を確保することができる。また、その開口及びガラスが、戸本体の半分以上の長さ寸法となるように形成されているため、少なくとも戸本体の中央より下側における視認性を確実に確保することができ、足元側の視認性を向上させることができる。
【０００８】
従って、本発明によると、ガラスが取り付けられた防火戸に関し、耐熱板ガラスを用いることなく、施工の円滑化を図れ、優れた防火機能を発揮できるとともに所定の認定コストを抑制でき、良好な視認性を確保することができる防火戸を提供することができる。
【０００９】
第２発明に係る防火戸は、第１発明の防火戸において、前記遮蔽板駆動手段は、重力によって落下する錘部及び当該錘部を前記遮蔽板に連結する連結部を有し、前記作動手段が作動したときに、前記錘部の落下に伴って前記遮蔽板を前記退避位置から前記遮蔽位置へと移動させるものであることを特徴とする。
【００１０】
この発明によると、作動手段が作動したとき、遮蔽板駆動手段が作動して錘部が落下することで、錘部に連結された遮蔽板が、開口から外れた退避位置から開口を遮蔽する遮蔽位置へと移動する。作動手段の作動に基づいて錘部が落下することで開口を遮蔽できるため、簡易な構造で防火機能を実現でき、構造の複雑化を抑制することができる。また、バネや傾斜レールを用いるものに比べて、錘部の配置の自由度が高くなるため、空間の有効利用を図ることができる。
【００１１】
第３発明に係る防火戸は、第２発明の防火戸において、前記戸本体に前記ガラスが取り付けられることで構成された戸構造体の少なくとも片面側における一部は、当該戸構造体の内部を外部に対して開放可能なように開閉自在に形成された開閉部として設けられていることを特徴とする。
【００１２】
この発明によると、戸構造体には、その内部を開放可能なように開閉自在な開閉部が設けられる。このため、戸本体の内部に配置される遮蔽板や作動手段、遮蔽板駆動手段の設置作業やこれらの保守作業を行う場合に、戸本体を分解等することなく、開閉部を開閉することで、これらの作業を容易に行うことができる。
【００１３】
第４発明に係る防火戸は、第３発明の防火戸において、前記開閉部は、前記ガラスを含
んでいることを特徴とする。
【００１４】
この発明によると、戸本体の開口を覆うガラスが開閉部の全部又は一部として戸構造体において開閉され、ガラス以外の部分のみで開閉部が構成されることがない。このため、開閉部が設けられることに伴う戸本体の強度への影響を極小化することができ又は無くすことができる。
【００１５】
第５発明に係る防火戸は、第４発明の防火戸において、前記遮蔽板の上端部に対して回転自在に取り付けられた上端側ローラと、前記遮蔽板の下端部に対して回転自在に取り付けられた下端側ローラと、前記戸本体において水平方向に延びるように配置されるとともに、前記上端側ローラが下方から当接して水平方向に転動自在に係合する上側ガイドレールと、前記戸本体において前記上側ガイドレールの下方で水平方向に延びるように配置されるとともに、前記下端側ローラが上方から当接して水平方向に転動自在に係合する下側ガイドレールと、を更に備えていることを特徴とする。
【００１６】
この発明によると、遮蔽板の上下端部にそれぞれ回転自在な上端側ローラ及び下端側ローラが取り付けられる。そして、これらのローラは、戸本体の上下方向に並んでそれぞれ水平方向に延びるように設けられた上側ガイドレール及び下側ガイドレールの間において、両レールに対して転動自在に係合するとともに反力を発生させた状態で支持される。これにより、遮蔽板は、上側及び下側の両ガイドレールの間において、上下方向に延びた姿勢が崩れて傾くことなく、安定した姿勢で滑らかに水平方向に移動することができ、遮蔽位置にスムーズに移動して開口を遮蔽することができる。尚、上端側ローラ及び下端側ローラは、それぞれ１つ設けられていてもよいが、より安定した姿勢を維持するためには、それぞれ複数設けられていることが望ましい。
【００１７】
第６発明に係る防火戸は、第４発明の防火戸において、前記遮蔽板の上端部に対して回転自在に取り付けられた懸架用ローラと、前記戸本体において水平方向に延びるように配置されるとともに、前記遮蔽板が懸架されるように前記懸架用ローラが上方から当接して水平方向に転動自在に係合する懸架用ガイドレールと、前記戸本体において前記懸架用ガイドレールの下方で水平方向に延びるように配置され、上下方向及び前記遮蔽板の移動方向である水平方向のいずれに対しても垂直な方向である前後方向における前記遮蔽板の下端部の変位量を規制するとともに当該遮蔽板の下端部の水平方向の移動をガイドするガイド部と、を更に備えていることを特徴とする。
【００１８】
この発明によると、戸本体には、遮蔽板の上端部に回転自在に設けられた懸架用ローラが転動自在に係合して懸架される懸架用ガイドレールと、遮蔽板の下端部の水平方向の移動のみを許容するようガイドするガイド部とが、上下方向に並んでそれぞれ水平方向に延びるように設けられる。このため、遮蔽板は、懸架用ガイドレール及びガイド部の間において、懸架されるとともに水平方向の移動方向がガイドされた状態で支持される。これにより、遮蔽板は、上下方向に延びた姿勢が崩れて傾くことなく、安定した姿勢で滑らかに水平方向に移動することができ、遮蔽位置にスムーズに移動して開口を遮蔽することができる。尚、懸架用ローラは、１つ設けられていてもよいが、より安定した姿勢を維持するためには、複数設けられていることが望ましい。
【００１９】
第７発明に係る防火戸は、第４発明の防火戸において、前記遮蔽板の少なくとも片面側の中央部分に対して回転自在に取り付けられるとともに上下方向に並んで配置された一対の中央ローラと、前記戸本体において水平方向に延びるように配置されるとともに、前記一対の中央ローラが上下方向の両側から当接して水平方向に転動自在に係合する中央ガイドレールと、を更に備えていることを特徴とする。
【００２０】
この発明によると、遮蔽板の中央部分に回転自在な一対の中央ローラが取り付けられる。そして、これらのローラは、戸本体において水平方向に延びるように設けられた中央ガイドレールに対して転動自在に係合するとともに上下方向の両側から対向して挟み込む力を発生させた状態で支持される。これにより、遮蔽板は、上下方向に延びた姿勢が崩れて傾くことなく、安定した姿勢で滑らかに水平方向に移動することができ、遮蔽位置にスムーズに移動して開口を遮蔽することができる。尚、一対の中央ローラは、１つ（即ち、１対のみ）設けられていてもよいが、より安定した姿勢を維持するためには、複数（即ち、複数対）設けられていることが望ましい。
【００２１】
第８発明に係る防火戸は、第４発明乃至第７発明のいずれかの防火戸において、前記戸本体には、その内部において上下方向に沿って配置され、両面のパネル体を支持する柱部材が設けられ、前記柱部材として、前記錘部が落下移動可能な空間が内側に形成された錘部内蔵柱部材が備えられていることを特徴とする。
【００２２】
この発明によると、戸本体内の強度メンバーとして上下方向に延びてパネル体を支持する柱部材が設けられ、この柱部材として、内部に錘部が落下移動可能な空間が形成された錘部内蔵柱部材が備えられている。このため、戸本体内において強度メンバーを配置するスペースと錘部が落下移動するスペースとを兼用させることができ、戸本体内のスペースを効率よく活用することができる。
【００２３】
第９発明に係る防火戸は、第８発明の防火戸において、前記錘部内蔵柱部材は、内側の壁面が前記錘部の落下移動方向をガイドするように形成されていることを特徴とする。
【００２４】
この発明によると、錘部内蔵柱部材の内側の壁面によって錘部の落下移動方向がガイドされるため、錘部の落下移動時の揺れの発生が抑制され、遮蔽板駆動手段の作動をより速やかに円滑に行わせることができる。
【００２５】
第１０発明に係る防火戸は、第４発明乃至第９発明の防火戸において、前記作動手段は、前記遮蔽板側と前記戸本体側とを連結するとともに、所定の温度を超えることで溶断されて前記遮蔽板側と前記戸本体側との連結を解除する温度ヒューズ部材として設けられていることを特徴とする。
【００２６】
この発明によると、作動手段が、所定の温度を超えると溶断されて遮蔽板側と戸本体側との連結を解除する温度ヒューズ部材として設けられ、煙感知器やソレノイドなど電気的な駆動制御手段を介さずに遮蔽板駆動手段を作動させるように構成されている。よって、機械式であるため、作動の信頼性を更に向上させることができる。
【００２７】
第１１発明に係る防火戸は、第４発明乃至第１０発明の防火戸において、前記遮蔽板には、当該遮蔽板が前記遮蔽位置に移動した状態で前記戸本体の内部において前記開口の周囲に沿って配置されるとともに、前記戸本体の内壁に向かって接近する方向に延びる部分を有して隙間を介して前記戸本体の内壁に近接する内壁近接部が設けられ、前記遮蔽板が前記遮蔽位置に移動することで、前記戸本体の内部において前記開口の両面側を連通する空間経路が、前記戸本体の内壁と前記内壁近接部との間を経由するとともに前記開口の両面側を結ぶ直線方向に対して迂回する迂回経路として形成されることを特徴とする。
【００２８】
この発明によると、遮蔽板には、遮蔽位置において開口の周囲で戸本体の内壁に向かって延びてこの内壁に近接する内壁近接部が設けられている。そして、遮蔽位置では、開口の両面側を連通する空間経路として、戸本体の内壁と内壁近接部との間を経由して開口の両面側を結ぶ直線方向に対して迂回する迂回経路が形成される。このため、火災が発生して開口が遮蔽された状態でガラスが破損しても、火炎は、開口を通過するためには、戸本
体の内壁と内壁近接部との間の狭い空間を通過するとともに迂回経路も通過しなければならないことになる。これにより、戸本体の内壁と内壁近接部との間の狭い空間と迂回経路とによって、火炎の通過が効率よく阻まれることになる。従って、火炎を効率よく遮蔽できる更に優れた防火機能を実現することができる。
【００２９】
第１２発明に係る防火戸は、第１１発明の防火戸において、前記内壁近接部は、屈曲形成された板状の部分として設けられていることを特徴とする。
【００３０】
この発明によると、内壁近接部が屈曲形成された板状の部分として設けられるため、屈曲部の位置や個数を調整することで、戸本体の内壁と内壁近接部との間の狭い空間の経路をより長く確保するとともに長い迂回経路を確保することを簡易な構造で容易に実現することができる。これにより、更に効率よく火炎を遮蔽することができる。
【００３１】
第１３発明に係る防火戸は、第４発明乃至第１２発明のいずれかの防火戸において、前記戸本体の内壁には、前記開口の周囲に沿って設けられ、前記遮蔽板が前記遮蔽位置に移動した状態で前記遮蔽板に向かって接近する方向に延びる部分を有して隙間を介して前記遮蔽板に近接する遮蔽板近接部が設けられ、前記遮蔽板が前記遮蔽位置に移動することで、前記戸本体の内部において前記開口の両面側を連通する空間経路が、前記遮蔽板と前記遮蔽板近接部との間を経由するとともに前記開口の両面側を結ぶ直線方向に対して迂回する迂回経路として形成されることを特徴とする。
【００３２】
この発明によると、戸本体の内壁における開口の周囲には、遮蔽位置において遮蔽板に向かって延びて遮蔽板に近接する遮蔽板近接部が設けられている。そして、遮蔽位置では、開口の両面側を連通する空間経路として、遮蔽板と遮蔽板近接部との間を経由して開口の両面側を結ぶ直線方向に対して迂回する迂回経路が形成される。このため、火災が発生して開口が遮蔽された状態でガラスが破損しても、火炎は、開口を通過するためには、遮蔽板と遮蔽板近接部との間の狭い空間を通過するとともに迂回経路も通過しなければならないことになる。これにより、遮蔽板と遮蔽板近接部との間の狭い空間と迂回経路とによって、火炎の通過が効率よく阻まれることになる。従って、火炎を効率よく遮蔽できる更に優れた防火機能を実現することができる。
【００３３】
第１４発明に係る防火戸は、第４発明乃至第１０発明のいずれかの防火戸において、前記遮蔽板には、当該遮蔽板が前記遮蔽位置に移動した状態で前記戸本体の内部において前記開口の周囲に沿って配置されるとともに、前記戸本体の内壁に向かって接近する方向に延びる部分を有して隙間を介して前記戸本体の内壁に近接する内壁近接部が設けられ、前記戸本体の内壁には、前記開口の周囲に沿って設けられ、前記遮蔽板が前記遮蔽位置に移動した状態で前記遮蔽板に向かって接近する方向に延びる部分を有して隙間を介して前記遮蔽板に近接する遮蔽板近接部が設けられ、前記内壁近接部における前記戸本体の内壁に最も接近した部分が、前記遮蔽板近接部における前記遮蔽板に最も近接した部分よりも、前記戸本体の内壁に近い側に位置し、前記遮蔽板が前記遮蔽位置に移動することで、前記戸本体の内部において前記開口の両面側を連通する空間経路が、前記遮蔽板近接部と前記内壁近接部との間を経由するとともに前記開口の両面側を結ぶ直線方向に対して迂回する迂回経路として形成されることを特徴とする。
【００３４】
この発明によると、遮蔽板には内壁近接部が設けられ、戸本体の内壁における開口の周囲には遮蔽板近接部が設けられている。また、内壁近接部の最も戸本体内壁側が遮蔽板近接部の最も遮蔽板側よりも戸本体の内壁に近い側に位置するように、内壁近接部と遮蔽板近接部とが入り組んで構成されている。そして、遮蔽位置では、開口の両面側を連通する空間経路として、遮蔽板近接部と内壁近接部との間を経由して開口の両面側を結ぶ直線方向に対して迂回する迂回経路が形成される。このため、火災が発生して開口が遮蔽された
状態でガラスが破損しても、火炎は、開口を通過するためには、入り組んで配置された遮蔽板近接部と内壁近接部との間の狭い空間を通過するとともに迂回経路も通過しなければならないことになる。これにより、入り組んで配置された遮蔽板近接部と内壁近接部との間の狭い空間と迂回経路とによって、火炎の通過が効率よく阻まれることになる。従って、火炎を効率よく遮蔽できる更に優れた防火機能を実現することができる。
【発明の効果】
【００３５】
本発明によると、ガラスが取り付けられた防火戸に関し、耐熱板ガラスを用いることなく、施工の円滑化を図れ、優れた防火機能を発揮できるとともに所定の認定コストを抑制でき、良好な視認性を確保することができる防火戸を提供することができる。
【図面の簡単な説明】
【００３６】
【図１】本発明の一実施の形態に係る防火戸を示す正面図である。
【図２】図１のＡ−Ａ線矢視断面図である。
【図３】図２のＢ−Ｂ線矢視断面図である。
【図４】図２に示す防火戸における柱部材及びその近傍を拡大して示す断面図である。
【図５】図２のＣ−Ｃ線矢視断面図である。
【図６】図１に示す防火戸の図１とは異なる状態を示す正面図である。
【図７】図６のＤ−Ｄ線矢視断面図である。
【図８】図７のＥ−Ｅ線矢視断面図である。
【図９】図７に対応する断面図であって、火災によりガラスが破損した状態を示す断面図である。
【図１０】図９のＦ−Ｆ線矢視断面図である。
【図１１】図７のＧ−Ｇ線矢視断面図である
【図１２】図２に示す防火戸における作動手段及びその近傍を拡大して示す断面図である。
【図１３】図７に対応する断面図であって、開閉部が開放された状態を示す断面図である。
【図１４】遮蔽板を戸本体に対して水平方向に移動自在に支持する構成に関する変形例を示す模式図である。
【図１５】図１４のＨ線矢視位置から見た一部拡大断面図である。
【図１６】遮蔽板を戸本体に対して水平方向に移動自在に支持する構成に関する他の変形例を示す模式図である。
【発明を実施するための形態】
【００３７】
以下、本発明を実施するための形態について図面を参照しつつ説明する。尚、本発明は、火炎を遮蔽するための防火戸として広く適用することができるものであり、自動ドア及び手動ドア（手動で開閉されるドア）のいずれの戸の形態に対しても適用することができる。また、開き戸、引き戸、折戸等、種々の形態の戸に対しても適用することができる。
【００３８】
図１は、本発明の一実施の形態に係る防火戸１を示す正面図である。図１に示す防火戸１は、例えば、所定の部屋に対してその内側（室内側）と外側（室外側）とを仕切る戸として設けられる。そして、防火戸１は、例えば、引き戸式の自動ドアとして設けられ、図示しないドア駆動装置によって水平方向に移動するように駆動されることで開閉する。尚、防火戸１は、単独で１枚の自動ドアとして用いられてもよく、また、複数枚で構成される自動ドアにおける１枚の戸として用いられてもよい。また、防火戸１は、室内外を仕切る戸に限らず、通路の途中に配置されて所定の領域に対してその内側と外側とを仕切る戸として設けられてもよい。
【００３９】
図２は図１のＡ−Ａ線矢視断面図であり、図３は図２のＢ−Ｂ線矢視断面図である。図
１乃至図３に示すように、防火戸１は、戸本体１１、複数のガラス１２、遮蔽板１３、作動手段１４、遮蔽板駆動手段１５、上端側ローラ２１、下端側ローラ２２、上側ガイドレール２３、下側ガイドレール２４、ヒンジ部３０などを備えて構成されている。そして、戸本体１１は、両面のパネル体１６、柱部材１７、横フレーム１８などを備えて構成されている。この戸本体１１は、図示しない建築構造物に対して支持され、上下方向に沿って配置された状態で水平方向において移動自在に支持されている。そして、前述のドア駆動装置が作動することで、戸本体１１が水平方向に移動し、防火戸１の開閉動作が行われる。尚、図１では、防火戸１による閉動作が行われる際にその移動方向における先端側となる戸先側の方向について図中の矢印Ｐで示している。
【００４０】
図１乃至図３に示すパネル体１６は、水平方向よりも上下方向に長い縦長形状に形成されている。そして、パネル体１６は、室外側に配置されるパネル体１６ａと室内側に配置されるパネル体１６ｂとを有して構成され、鋼製の板材によって形成されている。尚、本実施形態では、複数枚の板材が互いに固定されることでパネル体１６（１６ａ、１６ｂ）が形成されている場合を例示しているが、この通りでなくてもよく、１枚の板材が折り曲げ加工されることでパネル体１６が形成されていてもよい。
【００４１】
また、パネル体１６ａ及びパネル体１６ｂには、その水平方向における一方の戸先側（図１における矢印Ｐで示す側）に偏った位置に、長辺方向が上下方向に延びる縦長の長方形の貫通孔として形成された開口２０がそれぞれ設けられている。このように戸本体１１に形成されたこれらの開口２０が、防火戸１の窓を構成することになる。また、これらの開口２０は、図１によく示すように、その上下方向における長さ寸法が戸本体１１の上下方向における長さ寸法の半分以上の長さ寸法となるように形成されている。尚、本実施形態では、開口２０の上下方向の長さ寸法が戸本体１１の上下方向の長さ寸法の約８０％程度の長さ寸法に設定されている場合を例示している。また、開口２０の左右方向（即ち、パネル体１６の幅方向と平行な水平方向）における長さ寸法は、戸本体１１の左右方向における長さ寸法の約半分の長さ寸法以下、例えば３分の１や４分の１や５分の１、或いは１０分の１などであればよいが、視認性を最大化するため、本実施例では、寸法が戸本体１１の左右方向における長さ寸法の約半分の長さ寸法となるように形成されている。
【００４２】
図１及び図２に示す柱部材（１７、１８）は、戸本体１１内における水平方向の両側（左右両側）にそれぞれ配置された柱部材１７と柱部材１８とで構成されている。そして、柱部材（１７、１８）は、戸本体１１の内部において上下方向に沿って配置され、両面のパネル体１６（１６ａ、１６ｂ）を支持する部材（即ち、戸本体１１における上下方向の強度メンバー）として設けられている。各柱部材（１７、１８）は、複数の鋼製の板材が折り曲げ加工されることで形成されるとともにパネル体１６に固定されている。
【００４３】
図４は、図２における柱部材１７及びその近傍を拡大して示す断面図である。図４に示すように、柱部材（１７、１８）のうちの一方の柱部材１７は、縦フレーム１７ａと錘部振れ止めフレーム１７ｂとを備えて構成されている。縦フレーム１７ａは、それぞれ折り曲げ加工された一対の板部材として設けられ、戸本体１１の内部でパネル体１６ａ及びパネル体１６ｂに対して固定されるとともに、戸本体１１における上端側から下端側に亘って上下方向に長く延びるように配置されている。そして、縦フレーム１７ａは、パネル体１６ａ及びパネル体１６ｂに対して平行な一対の平面部分を有するように構成されている。尚、縦フレーム１７ａにおける一対の平面部分の間の空間は、後述する遮蔽板駆動手段１５の錘部２５が落下移動可能な空間を形成している。
【００４４】
柱部材１７の錘部振れ止めフレーム１７ｂは、それぞれ折り曲げ加工された一対の板部材として設けられ、縦フレーム１７ａに対して固定されるとともに、縦フレーム１７ａよりも短い長さで上下方向に延びるよう配置されている。そして、錘部振れ止めフレーム１
７ｂは、その延長方向においてパネル体１６ａ及びパネル体１６ｂに対して直交する一対の平面部分を有するように構成されている。尚、錘部振れ止めフレーム１７ｂは、後述の遮蔽板駆動手段１５の錘部２５が落下移動する範囲に対応して配置されている。これにより、錘部振れ止めフレーム１７ｂにおける一対の平面部分の間に配置された錘部２５が落下移動する際に、錘部２５のパネル体１６の幅方向に沿った水平方向における振れが防止されることになる。
【００４５】
柱部材１７は、上述した縦フレーム１７ａ及び錘部振れ止めフレーム１７ｂを備えることで、これらのフレーム（１７ａ、１７ｂ）の内側の領域が略矩形断面の中空領域となるように形成されている。これにより、柱部材１７は、遮蔽板駆動手段１５の錘部２５が落下移動可能な空間が内側に形成された本実施形態の錘部内蔵柱部材を構成している。尚、後述の錘部２５の水平方向の断面形状は柱部材１７のフレーム（１７ａ、１７ｂ）の内壁の水平方向の断面形状に沿った形状となっており、これにより、錘部内蔵柱部材である柱部材１７は、内側の壁面が錘部２５の落下移動方向をガイドするように形成されている。
【００４６】
図１及び図３に示す横フレーム１９は、戸本体１１の内部において水平方向に沿って配置され、柱部材（１７、１８）とともに両面のパネル体１６（１６ａ、１６ｂ）を支持する部材（即ち、戸本体１１における水平方向の強度メンバー）として設けられている。そして、横フレーム１９は、鋼製の板材が折り曲げ加工されることで形成され、戸本体１１内の上下方向における複数個所に配置されるとともに、開口２０の上側及び下側に配置されている。
【００４７】
図１乃至図３に示す複数のガラス１２は、複数の板ガラスとして設けられ、戸本体１１の両面側において開口２０を戸本体１１の内部側から覆うように取り付けられている。そして、ガラス１２は、パネル体１６ａに対して取り付けられるガラス１２ａと、パネル体１６ｂに対して取り付けられるガラス１２ｂとで構成されている。ガラス１２ａは、パネル体１６ａに形成された開口２０を塞ぐように設けられ、戸本体１１における戸先側に配置されている。このガラス１２ａは、その周縁部に沿って配置されるシール部材２９ａを介して開口２０を密閉した状態で、戸本体１１の内壁の一部として設けられたガラス取付部材２８ａによりパネル体１６ａに取り付けられている。尚、ガラス取付部材２８ａは、開口２０の周囲で上下方向に延びる部分については他の部材と独立した部材として設けられ、開口２０の周囲で水平方向に延びる部分についてはその一部が横フレーム１９と部分的に共通した部材として設けられている。
【００４８】
一方、ガラス１２ｂは、パネル体１６ｂの一部として設けられた枠部１６ｃに形成された開口２０を塞ぐように設けられ、戸本体１１における戸先側に配置されている。尚、枠部１６ｃは、パネル体１６ｂにおいて開口２０の周囲を区画するとともにパネル体１６ｂの本体部分（パネル体１６ｂにおける枠部１６ｃ以外の部分）に対して後述のヒンジ部３０を介して揺動可能に設けられている。そして、ガラス１２ｂは、その周縁部に沿って配置されるシール部材２９ｂを介して枠部１６ｃに形成された開口２０を密閉した状態で、戸本体１１の内壁の一部として設けられたガラス取付部材２８ｂによりパネル体１６ｂの枠部１６ｃに取り付けられている。尚、ガラス１２（１２ａ、１２ｂ）は、開口２０と同様に、その上下方向における長さ寸法が戸本体１１の上下方向における長さ寸法の半分以上の長さ寸法となるように形成されている。
【００４９】
図５は、図２のＣ−Ｃ線矢視断面図である。図１、図２、図４、図５に示すように、ヒンジ部３０は、戸本体１１の内部において一対設けられ、パネル体１６ｂの内側に取り付けられている。各ヒンジ部３０は、開口２０の上端側及び下端側にそれぞれ配置されるとともに、開口２０に対して戸先側に配置されている。そして、各ヒンジ部３０は、円柱状に形成された軸部材３０ａと、この軸部材３０ａが遊嵌状態で挿入される孔が形成される
とともに軸部材３０ａに対してその周囲で回転自在な回転筒部材３０ｂと、を備えて構成されている。軸部材３０ａは、一方の端部が横フレーム１９に固定されている。一方、回転筒部材３０ｂは、その側部において、ガラス取付部材２８ｂ及び枠部１６ｃにおける戸先側に対して一体的に固定されている。
【００５０】
上述のようにヒンジ部３０が設けられることで、ガラス１２ｂ、ガラス取付部材２８ｂ及び枠部１６ｃは、それらの戸先側の端部に位置する軸部材３０ａを中心として揺動可能に構成されている。これにより、戸本体１１にガラス１２が取り付けられることで構成された戸構造体の片面側であるパネル体１６ｂ側における一部は、この戸構造体の内部を外部に対して開放可能なように開閉自在に形成された開閉部３８として設けられている。本実施形態では、この開閉部３８は、上述のように、ガラス１２ｂ、ガラス取付部材２８ｂ、枠部１６ｃを含んで構成されている。図１乃至図５では、この開閉部が閉じられた閉止状態を示している。この閉止状態では、開閉部におけるヒンジ部３０側と反対側の端部は、戸本体１１の内部の所定のフレーム部材に対して、例えばネジ３１により固定されている。尚、本実施形態では、戸構造体の片面側の一部のみが開閉部として構成された防火戸１を例にとって説明したが、この通りでなくてもよい。即ち、防火戸１において、戸構造体の両面側の一部がそれぞれ開閉部として構成されていてもよい。
【００５１】
図１及び図２に示す遮蔽板１３は、鋼（本実施形態における金属）製で略四角形の板状部材として形成されるとともに、戸本体１１の内部に収納されている。この遮蔽板１３は、後述の遮蔽板駆動手段１５と連結され、後述の作動手段１４が作動することにより、戸本体１１内において水平方向に沿って移動するように設けられている。遮蔽板１３は、火災が発生しておらず作動手段１４が作動していない状態では、図１及び図２に示すように、開口２０から戸先側と反対側の側方に外れた位置に退避した退避位置に位置している。
【００５２】
一方、火災が発生して作動手段１４が作動すると、図６の防火戸１の正面図に示すように、遮蔽板１３は、退避位置から水平方向に沿って移動して、開口２０を遮蔽する遮蔽位置へと移動する。図６のＤ−Ｄ線矢視断面図である図７、及び図７のＥ−Ｅ線矢視断面図である図８によく示すように、遮蔽板１３は、上記の遮蔽位置では、開口２０を遮蔽するように複数のガラス１２（１２ａ、１２ｂ）の間で各ガラス（１２ａ、１２ｂ）に対向するように配置されることになる。この遮蔽位置では、遮蔽板１３の戸先側の端部は、戸本体１１の一部であるガラス取付部材２８ａに取り付けられて開口２０よりも戸先側に配置された板ゴム部材３２に当接しており、遮蔽板１３の戸先側と戸本体１１の内壁との間は封鎖されている。
【００５３】
また、遮蔽板１３には、図７及び図８によく示すように、その外周の縁部分に沿って設けられた内壁近接部３３（３３ａ、３３ｂ、３３ｃ）が設けられている。内壁近接部３３ａは、遮蔽板１３の水平方向における戸先側（遮蔽位置から退避位置へと向かう方向における端部側）と反対側の縁部分に配置され、遮蔽板１３の上下方向に沿って延びるように設けられている。内壁近接部３３ｂは、遮蔽板１３の上側の縁部分に配置され、遮蔽板１３の水平方向に沿って延びるように設けられている。内壁近接部３３ｃは、遮蔽板１３の下側の縁部分に配置され、遮蔽板１３の水平方向に沿って延びるように設けられている。これらの内壁近接部３３（３３ａ、３３ｂ、３３ｃ）は、屈曲形成された板状の部分として設けられている。尚、柱部材１８における内壁近接部３３ａに対向する部分には、遮蔽板１３が遮蔽位置にあるときに当接する板ゴム部材３９が防振ゴムとして取り付けられている（図２参照）。これにより、防火戸１の開閉時における遮蔽板１３の振動が抑制され、振動音の発生が防止されることになる。
【００５４】
内壁近接部３３（３３ａ、３３ｂ、３３ｃ）は、図７及び図８に示すように、遮蔽板１３が遮蔽位置に移動した状態で戸本体１１の内部において開口２０の周囲に沿って配置さ
れている。そして、この内壁近接部３３（３３ａ、３３ｂ、３３ｃ）は、戸本体１１の内壁に向かって延びる部分を有しており、遮蔽板１３が遮蔽位置に移動した状態で、隙間を介して戸本体１１の内壁に近接するように構成されている。尚、内壁近接部３３ｂにおいては、戸本体１１の内壁においてパネル体１６ａ側に近接するものとパネル体１６ｂ側に近接するものとが設けられている。
【００５５】
一方、遮蔽板１３に内壁近接部３３が設けられているのに対して、戸本体１１の内壁には、図７及び図８によく示すように、開口２０の周囲に沿って配置された遮蔽板近接部３４が設けられている。この遮蔽板近接部３４としては、戸本体１１の内壁において、上下方向に沿って延びるように配置された遮蔽板近接部３４ａ及び遮蔽板近接部３４ｂと、開口２０の上側で水平方向に沿って延びるように配置された遮蔽板近接部３４ｃ及び遮蔽板近接部３４ｄと、開口２０の下側で水平方向に沿って延びるように配置された遮蔽板近接部３４ｅ及び遮蔽板近接部３４ｆと、が設けられている。
【００５６】
遮蔽板近接部３４（３４ａ、３４ｂ、３４ｃ、３４ｄ、３４ｅ、３４ｆ）は、図７及び図８に示すように、遮蔽板１３が遮蔽位置に移動した状態で遮蔽板１３に向かって接近する方向に延びる部分を有して隙間を介して遮蔽板１３に近接するように構成されている。そして、遮蔽版近接部３４ａ及び遮蔽板近接部３４ｂは、遮蔽位置にある遮蔽板１３の戸先側と反対側の部分に対して対向するように配置され、遮蔽板近接部３４ａがパネル体１６ａ側に設けられ、遮蔽板近接部３４ｂがパネル体１６ｂ側に設けられている。また、遮蔽板近接部３４ａはガラス取付部材２８ａを構成する部材の一部として設けられ、遮蔽板近接部３４ｂはガラス取付部材２８ｂを構成する部材の一部として設けられている。遮蔽板近接部３４ｃ及び遮蔽板近接部３４ｅは、パネル体１６ａ側に設けられて、ガラス取付部材２８ａ及び横フレーム１９を構成する部材の一部として設けられている。遮蔽板近接部３４ｄ及び遮蔽板近接部３４ｆは、パネル体１６ｂ側に設けられて、ガラス取付部材２８ｂを構成する部材の一部として設けられている。
【００５７】
図９は、火災が発生して遮蔽板１３が遮蔽位置に移動して開口２０を遮蔽するとともに、火災によってガラス１２（１２ａ、１２ｂ）が破損した状態を示す図６のＤ−Ｄ線矢視位置に対応する断面図である。また、図１０は、図９のＦ−Ｆ線矢視断面図である。図９及び図１０に示す状態では、開口２０に取り付けられたガラス１２（１２ａ、１２ｂ）は破損し、パネル体１６ａ及びパネル体１６ｂに設けられた開口２０は、大きく開放された状態になっている。しかしながら、遮蔽板１３が遮蔽位置に移動することで、戸本体１１の内部において開口２０の両面側を連通する空間経路が、遮蔽板１３の内壁近接部（３３ａ、３３ｂ、３３ｃ）と戸本体１１の内壁の遮蔽板近接部（３４ａ、３４ｂ、３４ｃ、３４ｄ、３４ｅ、３４ｆ）との間を経由するとともに開口２０の両面側を結ぶ直線方向に対して迂回する迂回経路（Ｌ、Ｍ、Ｎ）として形成されることになる。
【００５８】
図９中において矢印Ｌで示す迂回経路Ｌ、図１０中において矢印Ｍ及び矢印Ｎでそれぞれ示す迂回経路Ｍ及び迂回経路Ｎは、防火戸１の内側から外側に向かう経路を示している。図９に示す迂回経路Ｌは、内壁近接部３３ａと遮蔽板近接部３４ｂとの間を経由した後、更に遮蔽板近接部３４ａと遮蔽板１３との間を経由する迂回経路として構成されることになる。また、図１０に示す迂回経路Ｍは、パネル体１６ｂ側に近接する内壁近接部３３ｂと遮蔽板近接部３４ｄとの間を経由した後、更にパネル体３６ａ側に近接する内壁近接部３３ｂと遮蔽板近接部３４ｃとの間を経由する迂回経路として構成されることになる。尚、パネル体１６ｂ側に近接する内壁近接部３３ｂにおける戸本体１１の内壁に最も近接する部分は、遮蔽板近接部３４ｄにおける遮蔽板１３に最も近接した部分よりも、戸本体１１の内壁に近い側に位置している。また、図１０に示す迂回経路Ｎは、内壁近接部３３ｃと遮蔽板近接部３４ｆとの間を経由した後、更に遮蔽板近接部３４ｅと遮蔽板１３との間を経由する迂回経路として構成されることになる。
【００５９】
図１１は、図７のＧ−Ｇ線矢視断面図である。図１、図６及び図１１に示すように、遮蔽板１３の上端部に対して、複数（本実施形態では２つ）の上端側ローラ２１が取り付けられている。各上端側ローラ２１は、遮蔽板１３に対して回転自在に取り付けられた車輪として設けられている。また、遮蔽板１３の下端部に対しても、複数（本実施形態では２つ）の下端側ローラ２２が取り付けられている。各下端側ローラ２２も、遮蔽板１３に対して回転自在に取り付けられた車輪として設けられている。
【００６０】
また、図８及び図１１によく示すように、戸本体１１においては、水平方向の強度メンバーである横フレーム１９に対して取り付けられて、水平方向に延びるように配置された上側ガイドレール２３と下側ガイドレール２４とが設けられている。上側ガイドレール２３は上側に配置された横フレーム１９に固定され、下側ガイドレール２４は下側に配置された横フレーム１９に固定されて上側ガイドレール２３の下方に配置されている。そして、上端側ローラ２１は、その車輪の周方向に延びる溝部において、上側ガイドレール２３に対して下方から当接して水平方向に転動自在に係合している。また、下端側ローラ２２は、その車輪の周方向に伸びる溝部において、下側ガイドレール２４に対して上方から当接して水平方向に転動自在に係合している。これにより、遮蔽板１３は、上端側ローラ２１及び下端側ローラ２２の回転とともに、上側ガイドレール２３と下側ガイドレール２４との間で上下両側から支持された状態で水平方向に沿って移動可能に設けられている。
【００６１】
図１２は、図２における作動手段１４及びその近傍を拡大して示す断面図である。図１、図２及び図１２に示す作動手段１４は、戸本体１１の内部において開口２０の上下方向における中途の位置に１つ配置され、遮蔽板１３に対して一方の端部が取り付けられる遮蔽板側取付片１４ａと、戸本体１１に対して一方の端部が取り付けられる戸本体側取付片１４ｂとをそれぞれ備えている。そして、作動手段１４は、これらの遮蔽板側取付片１４ａ及び戸本体側取付片１４ｂの他方の端部同士が、所定の温度の融点で溶融する合金によってろう付されて接合されることで構成されている。これにより、作動手段１４は、遮蔽板１３側と戸本体１１側とを連結するとともに、所定の温度を超えることでろう付の部分で溶断されて遮蔽板１３側と戸本体１１側との連結を解除する温度ヒューズ部材として設けられている。即ち、作動手段１４は、火災の発生に応じて作動するものであり、火災が発生して所定の温度に達することで作動（溶断）し、遮蔽板１３側と戸本体１１側との連結を解除するように構成されている。尚、作動手段１４の戸本体側取付片１４ｂは、戸本体１１に対しては、室内側に配置されたパネル体１６ｂ側において連結されるように取り付けられている。このため、室内側で発生した火災を迅速に検知できるように配置されている。
【００６２】
遮蔽板駆動手段１５は、図１に示すように、１つの錘部２５と、１本の連結ワイヤ２６と、１つの滑車２７とを備えて構成されている。遮蔽板駆動手段１５における錘部２５は、例えば直方体状の鋼塊として形成されており、図１及び図４に示すように、錘部内蔵柱部材である柱部材１７の内側に配置されている。そして、火災発生時には、錘部２５は、後述のように、柱部材１７の内側を重力によって落下して、図１に示す状態から図６に示す状態へと移動するように構成されている。また、図４によく示すように、錘部２５の水平方向における両側面とその近傍の部分は、柱部材１７（１７ａ、１７ｂ）の内側の壁面に対して挟まれる位置で複数個所において摺接可能に配置されている。更に、錘部２５の水平方向における両側面とその近傍の部分には、柱部材１７（１７ａ、１７ｂ）の内側の壁面に対して摺接する樹脂部材３５が設けられている。
【００６３】
また、図１及び図６に示す連結ワイヤ２６は、鋼製のワイヤーロープとして設けられ、錘部２５を遮蔽板１３に連結する本実施形態の連結部を構成している。そして、連結ワイヤ２６は、一方の端部が錘部２５に取り付けられており、他方の端部が図７にて二点鎖線
で示すワイヤ取付部材３６を介して遮蔽板１３に取り付けられている。これにより、錘部２５は、連結ワイヤ２６を介して遮蔽板１３に連結されている。また、図１、図６及び図７に示すように、滑車２７は、戸本体１１の内部において開口２０の側方の戸先側に配置され、戸本体１１に対して取り付けられている（尚、図７では、滑車２７は破線で図示している）。この滑車２７の車輪の溝部には、連結ワイヤ２６が掛け回されている。
【００６４】
遮蔽板駆動手段１５においては、火災による温度上昇によって、作動手段１４のろう付部分が溶断すると、戸本体１１と遮蔽板１３との連結が解除され、錘部２５の連結ワイヤ２６及び遮蔽板１３を介した戸本体１１への拘束状態も解除されることになる。これにより、錘部２５が重力によって落下し、連結ワイヤ２６が錘部２５によって引っ張られるとともに滑車２７の車輪が回転し、錘部２５及び連結ワイヤ２６の移動とともに遮蔽板１３が水平方向に引っ張られることになる。このように、遮蔽板駆動手段１５は、作動手段１４が作動（溶断）したとき、錘部２５の落下に伴って遮蔽板１３を退避位置（図１乃至図３参照）から遮蔽位置（図６乃至図８参照）へと移動させるように構成されている。
【００６５】
尚、防火戸１においては、図１及び図６に示すように、遮蔽位置へと移動した遮蔽板１３を退避位置へと手動操作によって戻すためのワイヤーロープ３７が設けられている。このワイヤーロープ３７の一端側の端部は、戸本体１１の内部において、遮蔽板１３の戸先側と反対側の端部に対して遮蔽板１３の上下方向における略中間位置で取り付けられている。そして、ワイヤーロープ３７の他端側の端部は、戸本体１１の戸先側と反対側の端部において外部に露出した状態で配置されている。この他端側の端部は、遮蔽板１３が遮蔽位置にあるときは、例えば、戸本体１１に設けられた小さなフック等に対して容易に外れるように緩く巻き掛けられている。火災の発生や動作の点検確認のために遮蔽板１３が遮蔽位置に移動した後に、遮蔽板１３を退避位置に戻す際には、作業者は、ワイヤーロープ３７の他端側を引っ張ることで、図６に示す遮蔽位置の状態から図１に示す退避位置の状態へと、遮蔽板１３の位置を戻すことができる。
【００６６】
次に、上述した防火戸１の作動について説明する。防火戸１は、火災が発生していない通常時は、自動ドアとして図示しないドア駆動装置によって開閉操作が行われている。一方、例えば防火戸１の室内側で火災が発生したときには、防火戸１は閉鎖され、ドア駆動装置による制御が停止される。そして、火災による温度上昇によって、防火戸１の温度が上昇すると、作動手段１４におけるろう付部分が溶断され、遮蔽板１３と戸本体１１との連結が解除され、遮蔽板駆動手段１５が作動し、錘部２５が重力によって落下する。これにより、遮蔽板１３は、滑車２７を介して連結ワイヤ２６によって水平方向に引っ張られる。この遮蔽板駆動手段１５の作動に伴い、遮蔽板１３は、上側ガイドレール２３及び下側ガイドレール２４の間で、上端側ローラ２１及び下端側ローラ２２が転動しながら、水平方向に移動する。そして、遮蔽板１３は、開口２０を遮蔽するように複数のガラス１２の間に配置される遮蔽位置へと移動することになる（図６乃至図８参照）。
【００６７】
遮蔽板１３が遮蔽位置へと移動した後、室内で発生した火災が消火されておらず火勢が強くなると、室内の温度が更に上昇し、図９及び図１１に示すように、ガラス１２が破損することになる。しかしながら、このようにガラス１２が破損した状態でも、開口２０は遮蔽板１３によって遮蔽されていることになる。そして、この状態では、開口２０の両面側を連通する空間経路は、前述した迂回経路Ｌ、迂回経路Ｍ及び迂回経路Ｎのみとなり、火炎の通過が阻まれることになる。
【００６８】
ここで、防火戸１における開閉部３８の作動について説明する。図１３は、図７に対応する防火戸１の断面図であって、開閉部３８が開放された状態を示す断面図である。開閉部３８を開く場合には、作業者は、開閉部３８におけるヒンジ部３０と反対側で開閉部３８の端部を戸本体１１における開閉部３８以外の部分に固定しているネジ３１を緩めて取
り外す。これにより、開閉部３８は、ヒンジ部３０を中心とする回転方向に揺動可能となり、図１３に示すように開いた状態にすることができる。これにより、戸本体１１の内部がパネル体１６ｂ側において外部に対して開放された状態となる。また、ヒンジ部３０は、遮蔽位置にある遮蔽板１３の戸先側の端部よりも更に戸先側に配置されている。このため、防火戸１においては、遮蔽位置にある遮蔽板１３を中心とした戸本体１１内の領域での保守等の作業をより容易に行うことができるように構成されている。
【００６９】
また、図１３によく示すように、防火戸１においては、枠部１６ｃにおけるヒンジ部３０の近傍に配置された部分がそれに隣接するパネル体１６ｂの縁部と当接することで、開閉部３８の可動範囲である開き角度が略９０°となるように設定されている。このため、防火戸１の戸先側に存在する壁面等の他の設備と開閉部３８とが干渉してしまうことを抑制できるとともに、開閉部３８の開き角度を十分に大きく確保して作業性の向上も図ることができるように構成されている。尚、ヒンジ部３０の位置と防火戸１の戸先側の端部との距離に応じ、他の設備との干渉を抑制しつつ、開閉部３８の開き角度を適宜９０°よりも大きく設定することができる。
【００７０】
以上説明した防火戸１によると、戸本体１１に形成された両面側の開口２０を覆うようにガラス１２が取り付けられているため、見通しと採光とを確保することができる。また、戸本体１１内には金属製の遮蔽板１３が水平方向に移動可能に収納されている。そして、火災の発生に応じて作動する作動手段１４が作動したとき、遮蔽板駆動手段１５が作動して遮蔽板１３が、開口２０から外れた退避位置から開口２０を遮蔽する遮蔽位置へと移動する。このため、火災発生時には、開口２０が金属製の遮蔽板１３で遮蔽され、火災の進展によってガラス１２が破損しても、火炎を十分に遮蔽できる優れた防火機能を発揮することができる。そして、作動手段１４の作動に基づいて開口２０を遮蔽できるため、耐火ガラスを用いずに防火機能を実現でき、建築基準法の施行令が定める構造認定で済み、耐火試験が不要となる結果、所定の認定コストを抑制することができる。
【００７１】
また、本実施形態によると、開口２０に取り付けるガラス１２は耐熱板ガラスでなくてよいため、見通しと採光とが確保された防火戸１を耐熱板ガラスを用いることなく実現することができる。そして、耐熱板ガラスを用いなくてよいため、施工に際して業者の選定に制約が多くなることがなく、円滑な施工を実現でき、施工費用の増大を抑制することができる。また、耐熱板ガラスでない一般のガラス１２を用いることができるため、耐熱板ガラスを用いる場合に比して大幅なコストダウンを図ることもできる。
【００７２】
更に、本実施形態によると、戸本体１１の開口２０及びこの開口２０を覆うガラス１２が、その上下方向における長さ寸法が戸本体１１の上下方向における長さ寸法の半分以上の長さ寸法となるように形成される。このため、ガラス１２が取り付けられた開口２０の面積を十分に広くして見通しが良くなるように設定することができ、耐熱板ガラスを用いた防火戸の場合と同等の良好な視認性を確保することができる。また、その開口２０及びガラス１２が、戸本体１１の半分以上の長さ寸法となるように形成されているため、少なくとも戸本体１１の中央より下側における視認性を確実に確保することができ、足元側の視認性を向上させることができる。
【００７３】
従って、本実施形態によると、ガラス１２が取り付けられた防火戸１に関し、耐熱板ガラスを用いることなく、施工の円滑化を図れ、優れた防火機能を発揮できるとともに所定の認定コストを抑制でき、良好な視認性を確保することができる。
【００７４】
また、防火戸１によると、作動手段１４が作動したとき、遮蔽板駆動手段１５が作動して錘部２５が落下することで、錘部２５に連結された遮蔽板１３が、開口２０から外れた退避位置から開口２０を遮蔽する遮蔽位置へと移動する。作動手段１４の作動に基づいて
錘部２５が落下することで開口２０を遮蔽できるため、簡易な構造で防火機能を実現でき、構造の複雑化を抑制することができる。また、バネや傾斜レールを用いるものに比べて、錘部の配置の自由度が高くなるため、空間の有効利用を図ることができる。
【００７５】
また、防火戸１によると、戸本体１１及びガラス１２を備えて構成される戸構造体には、その内部を開放可能なように開閉自在な開閉部３８が設けられる。このため、戸本体１１の内部に配置される遮蔽板１３や作動手段１４、遮蔽板駆動手段１５の設置作業やこれらの保守作業を行う場合に、戸本体１１を分解等することなく、開閉部３８を開閉することで、これらの作業を容易に行うことができる。
【００７６】
また、防火戸１によると、戸本体１１の開口２０を覆うガラス１２のうちのガラス１２ｂが開閉部３８として戸構造体において開閉され、ガラス１２以外の部分のみで開閉部３８が構成されることがない。このため、開閉部３８が設けられることに伴う戸本体１１の強度への影響を極小化することができる。
【００７７】
また、防火戸１によると、遮蔽板１３の上下端部にそれぞれ回転自在な上端側ローラ２１及び下端側ローラ２２が取り付けられる。そして、これらのローラ（２１、２２）は、戸本体１１の上下方向に並んでそれぞれ水平方向に延びるように設けられた上側ガイドレール２３及び下側ガイドレール２４の間において、両レール（２３、２４）に対して転動自在に係合するとともに反力を発生させた状態で支持される。これにより、遮蔽板１３は、上側及び下側の両ガイドレール（２３、２４）の間において、上下方向に延びた姿勢が崩れて傾くことなく、安定した姿勢で滑らかに水平方向に移動することができ、遮蔽位置にスムーズに移動して開口２０を遮蔽することができる。尚、防火戸１においては、上端側ローラ２１及び下端側ローラ２２がそれぞれ複数設けられているため、より安定した姿勢を維持することができる。
【００７８】
また、防火戸１によると、戸本体１１内の強度メンバーとして上下方向に延びてパネル体１６を支持する柱部材１７が設けられ、この柱部材１７として、内部に錘部２５が落下移動可能な空間が形成された錘部内蔵柱部材１７が備えられている。このため、戸本体１１内において強度メンバーを配置するスペースと錘部２５が落下移動するスペースとを兼用させることができ、戸本体１１内のスペースを効率よく活用することができる。また、防火戸１によると、錘部内蔵柱部材１７の内側の壁面によって錘部２５の落下移動方向がガイドされるため、錘部２５の落下移動時の揺れの発生が抑制され、遮蔽板駆動手段１５の作動をより速やかに円滑に行わせることができる。
【００７９】
また、防火戸１によると、作動手段１４が、所定の温度を超えると溶断されて遮蔽板１３側と戸本体１１側との連結を解除する温度ヒューズ部材として設けられ、煙感知器やソレノイドなど電気的な駆動制御手段を介さずに遮蔽板駆動手段１５を作動させるように構成されている。よって、機械式であるため、作動の信頼性を更に向上させることができる。
【００８０】
また、防火戸１によると、遮蔽板１３には内壁近接部３３（３３ａ、３３ｂ、３３ｃ）が設けられ、戸本体１１の内壁における開口２０の周囲には遮蔽板近接部３４（３４ａ、３４ｂ、３４ｃ、３４ｄ、３４ｅ、３４ｆ）が設けられている。また、内壁近接部３３ｂの最も戸本体１１の内壁側が遮蔽板近接部３４ｄの最も遮蔽板１３側よりも戸本体１１の内壁に近い側に位置するように、内壁近接部３３ｂと遮蔽板近接部３４ｄとが入り組んで構成されている。そして、遮蔽位置では、開口２０の両面側を連通する空間経路として、内壁近接部３３と遮蔽板近接部３４との間を経由して開口２０の両面側を結ぶ直線方向に対して迂回する迂回経路（Ｌ、Ｍ、Ｎ）が形成される。このため、火災が発生して開口２０が遮蔽された状態でガラス１２が破損しても、火炎は、開口２０を通過するためには、
内壁近接部３３と遮蔽板近接部３４との間の狭い空間や入り組んだ経路を通過するとともに迂回経路（Ｌ、Ｍ、Ｎ）も通過しなければならないことになる。これにより、内壁近接部３３と遮蔽板近接部３４との間の狭い空間や入り組んだ経路と迂回経路（Ｌ、Ｍ、Ｎ）とによって、火炎の通過が効率よく阻まれることになる。従って、火炎を効率よく遮蔽できる更に優れた防火機能を実現することができる。
【００８１】
また、防火戸１によると、内壁近接部３３及び遮蔽板近接部３４が屈曲形成された板状の部分として設けられるため、屈曲部の位置や個数を調整することで、戸本体１１の内壁と内壁近接部３３との間や遮蔽板１３と遮蔽板近接部３４との間の狭い空間の経路をより長く確保するとともに長い迂回経路を確保することを簡易な構造で容易に実現することができる。これにより、更に効率よく火炎を遮蔽することができる。
【００８２】
以上、本発明の実施形態について説明したが、本発明は上述の実施の形態に限られるものではなく、特許請求の範囲に記載した限りにおいて様々に変更して実施することができる。例えば、次のように変更して実施してもよい。
【００８３】
（１）本実施形態では、引き戸式の自動ドアに対して適用される場合を例にとって説明したが、この通りでなくてよく、開き戸式や折戸式の防火戸として適用されてもよく、また、手動ドアに適用されてもよい。
【００８４】
（２）戸本体における開口の位置や大きさについては、上記の実施形態で例示したものに限らず、種々変更して実施することができる。尚、本実施形態では、開口及びこの開口を覆うガラスについては、戸本体の片面側について１つの開口と１枚のガラスとが設けられる場合を例にとって説明したが、この通りでなくもよい。即ち、戸本体の片面側について、複数の開口が設けられているものや複数枚のガラスが取り付けられているものであってもよい。この場合、片面側の開口及び開口を覆うガラスについては、その上下方向における長さ寸法であって水平方向で重ならない部分について足し合わせた分の合計の長さ寸法が戸本体の上下方向における長さ寸法の半分以上の長さ寸法となるように構成されていればよい。また、左右方向についても同様に、その左右方向における長さ寸法であって左右方向で重ならない部分について足し合わせた分の合計の長さ寸法が戸本体の左右方向における長さ寸法の半分以下の長さ寸法となるように構成されていればよい。
【００８５】
（３）戸本体における柱部材については、上記の実施形態で例示した構造に限らず、配置や形状を種々変更して実施することができる。また、作動手段については、温度ヒューズ以外の手段、例えば、煙感知器に連動して作動するソレノイドを用いてもよい。また、遮蔽板駆動手段については、錘部の配置や個数、連結部の構成を種々変更して実施することができる。また、内壁近接部及び遮蔽板近接部の配置や形状については、種々変更して実施することができる。
【００８６】
（４）本実施形態では、遮蔽板を戸本体に対して水平方向に移動自在に支持する構成として、上端側ローラと下端側ローラと上側ガイドレールと下側ガイドレールとを備えるものを例にとって説明したが、この通りでなくもよく、種々変更して実施することができる。図１４は、遮蔽板を戸本体に対して水平方向に移動自在に支持する構成に関する変形例を示す模式図である。図１４に示す変形例に係る防火戸においては、上端側及び下端側ローラと上側及び下側ガイドレールとが備えられておらず、懸架用ローラ４０と、懸架用ガイドレール４１と、ガイド部４２とが備えられている。尚、図１４では、変形例に係る防火戸の正面図に対応する模式図を示すとともに、本実施形態と同様に構成される遮蔽板１３及びガラス１２、懸架用ローラ４０、懸架用ガイドレール４１、ガイド部４２以外の要素については図示を省略している。
【００８７】
懸架用ローラ４０は、遮蔽板１３の上端部において保持部材４０ａを介して回転自在に取り付けられた車輪として設けられている。そして、この懸架用ローラ４０は、複数取り付けられている。懸架用ガイドレール４１は、図示しない戸本体においてその内側にて水平方向に延びるように配置されている。そして、この懸架用ガイドレール４１は、遮蔽板１３が懸架されるように、懸架用ローラ４０が上方から当接して水平方向に転動可能に係合するように構成されている。
【００８８】
図１５は、図１４のＨ線矢視位置から見たガイド部４２及びその近傍を拡大して示す一部拡大断面図である。図１４及び図１５に示すガイド部４２は、戸本体において懸架用ガイドレール４１の下方で水平方向に延びるように配置されている。このガイド部４２には、上方に開口するとともに水平方向に延びるように形成された矩形断面の溝部４２ａが設けられている。この溝部４２ａに対しては、その内側に遮蔽板１３の下端部４３の下端側が遊嵌状態で配置される。これにより、ガイド部４２は、上下方向及び遮蔽板１３の移動方向である水平方向のいずれに対しても垂直な方向である前後方向（図１５において両端矢印Ｉで示す方向）における遮蔽板１３の下端部４３の変位量を規制するとともに遮蔽板１３の下端部４３の水平方向の移動をガイドするように構成されている。このように構成されることで、遮蔽板１３は、懸架用ローラ４０が懸架用ガイドレール４１上で転動するとともに、下端部４３においてガイド部４２によって誘導されながら、図示しない遮蔽板駆動手段の作動に伴って、退避位置から遮蔽位置へと水平方向に移動することになる。
【００８９】
この変形例に係る防火戸によると、戸本体には、遮蔽板１３の上端部に回転自在に設けられた懸架用ローラ４０が転動自在に係合して懸架される懸架用ガイドレール４１と、遮蔽板１３の下端部４３の水平方向の移動のみを許容するようガイドするガイド部４２とが、上下方向に並んでそれぞれ水平方向に延びるように設けられる。このため、遮蔽板１３は、懸架用ガイドレール４１及びガイド部４２の間において、懸架されるとともに水平方向の移動方向がガイドされた状態で支持される。これにより、遮蔽板１３は、上下方向に延びた姿勢が崩れて傾くことなく、安定した姿勢で滑らかに水平方向に移動することができ、遮蔽位置にスムーズに移動して、戸本体に形成された開口を遮蔽することができる。尚、この変形例に係る防火戸においては、懸架用ローラ４０が複数設けられており、より安定した姿勢を維持することができる。
【００９０】
（５）図１６は、遮蔽板を戸本体に対して水平方向に移動自在に支持する構成に関する他の変形例を示す模式図である。図１６に示す変形例に係る防火戸においては、本実施形態のような上端側及び下端側ローラと上側及び下側ガイドレールとが備えられておらず、一対の中央ローラ４４と、中央ガイドレール４５とが備えられている。尚、図１６では、変形例に係る防火戸の正面図に対応する模式図を示すとともに、本実施形態と同様に構成される遮蔽板１３及びガラス１２、一対の中央ローラ４４、中央ガイドレール４５以外の要素については図示を省略している。
【００９１】
一対の中央ローラ４４は、上側に配置された中央ローラ４４ａと下側に配置された中央ローラ４４ｂとを備えて構成されており、これらの各中央ローラ（４４ａ、４４ｂ）が遮蔽板１３の片面側に対して回転自在に取り付けられるとともに上下方向に並んで配置されている。また、一対の中央ローラ４４は、複数（この変形例では２つ）水平方向に並んで配置されている。尚、この変形例では、一対の中央ローラ４４が遮蔽板１３の片面側に配置されたものを例示しているが、この通りでなくてもよく、両面側にそれぞれ配置されていてもよい。
【００９２】
中央ガイドレール４５は、図示しない戸本体においてその内側にて水平方向に延びるように配置されている。この中央ガイドレール４５は、戸本体の両面側にそれぞれ配置されるガラス１２の間において水平方向に延びるように配置されている。そして、中央ガイド
レール４５は、一対の中央ローラ４４が上下方向の両側から当接して水平方向に転動自在に係合するように構成されている。即ち、対向して配置される中央ローラ４４ａと中央ローラ４４ｂとが、上下方向の両側から転動自在に係合している。尚、この変形例では、ガラス１２が１枚のものとして構成されている場合を例示しているが、この通りでなくてもよく、ガラス１２が、中央ガイドレール４５に対向する位置において複数枚のガラスに分離されたものとして構成されていてもよい。
【００９３】
この変形例に係る防火戸によると、遮蔽板１３の中央部分に回転自在な一対の中央ローラ４４が取り付けられる。そして、これらのローラ４４（４４ａ、４４ｂ）は、戸本体において水平方向に延びるように設けられた中央ガイドレール４５に対して転動自在に係合するとともに上下方向の両側から対向して挟み込む力を発生させた状態で支持される。これにより、遮蔽板１３は、上下方向に延びた姿勢が崩れて傾くことなく、安定した姿勢で滑らかに水平方向に移動することができ、遮蔽位置にスムーズに移動して、戸本体に形成された開口を遮蔽することができる。尚、この変形例に係る防火戸においては、一対の中央ローラ４４が複数設けられており、より安定した姿勢を維持することができる。
【００９４】
上記実施例に係る防火戸によると、遮蔽板駆動手段１５としては、錘を用いるものであるが、一端を遮蔽版１３に、他端を戸本体１１に固定したバネを用いてもよく、更にこの場合、バネ力が一定のものを用いても良い。また、錘の代わりに、遮蔽版１３自体の自重を用いるように、傾斜したレールを用いても良い。この場合、上側ガイドレール２３や下側ガイドレール２４、或いは中央ガイドレール４５の戸先側が、戸尻側に比べて僅かに、例えば数ｍｍ程度、鉛直下側に位置するように配置される。
【産業上の利用可能性】
【００９５】
本発明は、火炎を遮蔽するための防火戸であって、ガラスが取り付けられた防火戸として、広く適用することができるものである。
【符号の説明】
【００９６】
１                            防火戸
１１                          戸本体
１２、１２ａ、１２ｂ          ガラス
１３                          遮蔽板
１４                          作動手段
１５                          遮蔽板駆動手段
２０                          開口
２５                          錘部
２６                          連結ワイヤ（連結部）
【図１】
2010281173.tif 000003
【図２】
2010281173.tif 000004
【図３】
2010281173.tif 000005
【図４】
2010281173.tif 000006
【図５】
2010281173.tif 000007
【図６】
2010281173.tif 000008
【図７】
2010281173.tif 000009
【図８】
2010281173.tif 000010
【図９】
2010281173.tif 000011
【図１０】
2010281173.tif 000012
【図１１】
2010281173.tif 000013
【図１２】
2010281173.tif 000014
【図１３】
2010281173.tif 000015
【図１４】
2010281173.tif 000016
【図１５】
2010281173.tif 000017
【図１６】
2010281173.tif 000018